(57)【要約】【課題】着霜を抑制し、暖房能力の大幅な低下を回避することができる空気調和機を提供すること。【解決手段】本発明の空気調和機は、室内機と室外機とを接続して構成される空気調和機であって、室外熱交換器の温度を検出する室外熱交換器温度検知部を備え、暖房運転時において、前記室外熱交換器の温度が所定の範囲内となるように、冷凍サイクルの圧力変動に影響する構成部品を制御することにより、除霜運転へ入ることをできるだけ抑制させ、室内の快適性を損ねることを極力さけることができる。【選択図】図１
2012237482.tif 000002
【特許請求の範囲】
【請求項１】
室内機と室外機とを接続して構成される空気調和機であって、室外熱交換器の温度を検出する室外熱交換器温度検知部を備え、暖房運転時において、前記室外熱交換器の温度が所定の範囲内となるように、冷凍サイクルの圧力変動に影響する構成部品を制御することを特徴とする空気調和機。
【請求項２】
室内へ送風する室内送風機を備え、暖房運転時において、前記室外熱交換器の温度が所定の範囲内となるように、前記室内ファンの回転数を下げることを特徴とする請求項１に記載の空気調和機。
【請求項３】
室内へ送風する室内送風機と、上下へ風向を変更する上下風向変更羽根を備え、暖房運転時において、前記室外熱交換器の温度が所定の範囲内となるように、室内への送風量を低下させる方向へ前記上下風向変更羽根を駆動させることを特徴とする請求項１または２に記載の空気調和機。
【請求項４】
室内へ送風する室内送風機と、左右へ風向を変更する左右風向変更羽根を備え、暖房運転時において、前記室外熱交換器の温度が所定の範囲内となるように、室内への送風量を低下させる方向へ前記左右風向変更羽根を駆動させることを特徴とする請求項１から３のいずれか１項に記載の空気調和機。
【発明の詳細な説明】
【技術分野】
【０００１】
本発明は、圧縮機の運転周波数を可変とする空気調和機に関する。
【背景技術】
【０００２】
従来、圧縮機の運転周波数が可変の空気調和機の暖房運転において、特に、室外気温が低い場合、圧縮機の運転周波数を最大限に高め高暖房能力を確保していた。ところが、室外気温が低いために、室外熱交換器の温度が相乗的に低下して氷点下となると、室外熱交換器に霜が付着、成長し、室外空気から熱を取り込む作用の効率が低下し、暖房能力が大幅に低下する。
【０００３】
そこで、一定の条件を満たした場合、暖房運転を一時中断し、冷凍サイクルを逆に切り替えることで室外熱交換器の除霜を行う方式が広く用いられている（例えば、特許文献１参照）。
【先行技術文献】
【特許文献】
【０００４】
【特許文献１】特開平８−３３８６７３号公報
【発明の概要】
【発明が解決しようとする課題】
【０００５】
しかしながら、前記従来の空気調和機においては、除霜運転中は暖房とは逆サイクル運転であり、暖房運転を中断する必要があり、さらに霜運転開始前においても、一旦着霜が始まると、霜により送風が阻害され、室外熱交換器の熱交換効率が加速度的に低下し、暖房能力が大幅に低下してしまうという課題を有していた。
【０００６】
本発明は、前記従来の課題を解決するもので、着霜を抑制し、暖房能力の大幅な低下を回避することができる空気調和機を提供することを目的とする。
【課題を解決するための手段】
【０００７】
前記従来の課題を解決するために本発明は、室内機と室外機とを接続して構成される空気調和機であって、室外熱交換器の温度を検出する室外熱交換器温度検知部を備え、暖房運転時において、前記室外熱交換器の温度が所定の範囲内となるように、冷凍サイクルの圧力変動に影響する構成部品を制御することにより、除霜運転へ入ることをできるだけ抑制させ、室内の快適性を損ねることを極力さけることができる。
【発明の効果】
【０００８】
本発明は、着霜を抑制し、暖房能力の大幅な低下を回避することができる空気調和機を提供することができる。
【図面の簡単な説明】
【０００９】
【図１】本発明の実施の形態１に係る空気調和機のブロック図
【図２】同実施の形態１における概念図
【図３】本発明の実施の形態２における空気調和機のブロック図
【図４】本発明の実施の形態３における空気調和機のブロック図
【発明を実施するための形態】
【００１０】
第１の発明の空気調和機は、室内機と室外機とを接続して構成される空気調和機であっ
て、室外熱交換器の温度を検出する室外熱交換器温度検知部を備え、暖房運転時において、前記室外熱交換器の温度が所定の範囲内となるように、冷凍サイクルの圧力変動に影響する構成部品を制御することにより、除霜運転へ入ることをできるだけ抑制させ、室内の快適性を損ねることを極力さけることができる。
【００１１】
第２の発明の空気調和機は、特に第１の発明において、室内へ送風する室内送風機を備え、暖房運転時において、前記室外熱交換器の温度が所定の範囲内となるように、前記室内ファンの回転数を下げることにより、高圧側を下げることで低圧側を上げて、出来るだけ着霜状態へ入ることを防ぐ。
【００１２】
第３の発明の空気調和機は、特に第１または第２の発明において、室内へ送風する室内送風機と、上下へ風向を変更する上下風向変更羽根を備え、暖房運転時において、前記室外熱交換器の温度が所定の範囲内となるように、室内への送風量を低下させる方向へ前記上下風向変更羽根を駆動させることにより、高圧側を下げることで低圧側を上げて、出来るだけ着霜状態へ入ることを防ぐ。
【００１３】
第４の発明の空気調和機は、特に第１から第３の発明において、室内へ送風する室内送風機と、左右へ風向を変更する左右風向変更羽根を備え、暖房運転時において、前記室外熱交換器の温度が所定の範囲内となるように、室内への送風量を低下させる方向へ前記左右風向変更羽根を駆動させることにより、高圧側を下げることで低圧側を上げて、出来るだけ着霜状態へ入ることを防ぐ。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機のブロック図を示すものである。
【００１６】
図１において、マイクロコンピュータ１と、運転周波数可変の圧縮機２と、室外熱交換器温度を検出してその値をマイクロコンピュータ１に送出する室外熱交換器温度検知部３を備え、マイクロコンピュータ１において、室外熱交換器外気温度の上限温度、下限温度を設定してあるデータ表４と、室外熱交換器温度検知部３からの室外熱交換器温度とを、データ比較部６で比較し、演算部７で着霜状態を予測する。
【００１７】
そして、室内送風機８の回転数を下げることによって、低圧を上げて室外熱交換器の温度を上げ、極力着霜状態とならないようにしている。
【００１８】
データ表には任意の室外熱交換器温度の場合の、室外熱交換器への着霜状態との比較から作られており、室外熱交換器への着霜状態を、計測された室外熱交換器温度から類推することができる。
【００１９】
以上のように、本実施の形態においては計測された室外熱交換器温度をデータ表と対比させ、データ表に予め対比設定してある室外熱交換器温度の上限値より、室外熱交換器に着霜し始める前に室内機の回転数を低減させることにより高圧を上げることに伴い低圧を上げることができ、室外熱交換器への着霜を抑制することができる。その結果、室外熱交換器の熱交換効率は確保され、室内住環境の快適性は確保される。
【００２０】
図２は、本実施の形態における室内送風機の動作概念図である。図２において、データ表４内に予め設定された室外熱交換器の下限温度Ｔ１に達すれば室内機の回転数を現在の
回転数Ｎより（定数−ｎ１）とした値とし、上限Ｔ２に達すれば室内機の回転数を現在の回転数Ｎより（定数＋ｎ２）とした値とする。この演算を繰り返し、室内機の回転数が下限値ｎ３に達した場合これを下限とする。
【００２１】
これによって、室内機の回転数の下げすぎによる能力の大きな低下を防ぎつつ、室外熱交換器への着霜状態を的確に予測することが可能となり、室外熱交換器への着霜を抑制することができる。その結果、室外熱交換器の熱交換効率は確保され、室内住環境の快適性は確保される。
【００２２】
さらに、本発明の空気調和機は、本体に設けられた本体操作スイッチ１０の操作によって、室内機の回転数を変化させる制御を中断できるようにしたものである。これによって、必要に応じて上記制御によらず、従来と同様の圧縮機周波数制御を行うことも可能になる。
【００２３】
なお、上述したマイクロコンピュータ１は、室内機もしくは室外機のいずれかに設けられればよく、設置位置を限定するものではない。また、本体操作スイッチ１０はリモートコントローラー等に設けてもよい。
【００２４】
（実施の形態２）
図３は、本発明の第２の実施の形態における空気調和機のブロック図を示すものである。実施の形態１と異なる箇所は、上下風向変更羽根１１を駆動するようにしたことである。
【００２５】
そして、上下風向変更羽根１１を駆動させて、通風抵抗を増加させることで、低圧を上げて室外熱交換器の温度を上げ、極力着霜状態とならないようにしている。
【００２６】
（実施の形態３）
図４は、本発明の第３の実施の形態における空気調和機のブロック図を示すものである。実施の形態１および２と異なる箇所は、左右風向変更羽根１２を駆動するようにしたことである。
【００２７】
そして、左右風向変更羽根１２を駆動させて、通風抵抗を増加させることで、低圧を上げて室外熱交換器の温度を上げ、極力着霜状態とならないようにしている。なお、上下風向変更羽根１１を一緒に駆動させるような制御としてもよい。
【産業上の利用可能性】
【００２８】
以上のように、本発明にかかる空気調和機は、霜により送風が阻害され、室外熱交換器の熱交換効率が加速度的に低下し、暖房能力が大幅に低下してしまう状態を回避し、暖房運転中の室外熱交換器への着霜を抑制することにより、暖房能力の大幅な低下を招くことなく、さらには除霜運転の頻度をも低減し、室内住環境の快適性を向上させるものである。
【符号の説明】
【００２９】
１  マイクロコンピュータ
２  圧縮機
３  室外熱交換器温度検知部
８  室内送風機
１１  上下風向変更羽根
１２  左右風向変更羽根
【図１】
2012237482.tif 000003
【図２】
2012237482.tif 000004
【図３】
2012237482.tif 000005
【図４】
2012237482.tif 000006